(57)【要約】【課題】傘袋を携行する際の収納が容易で、占有空間が小さく、防水、盗難防止の効果を有する、収納式伸縮可能な傘袋を有する傘柄を提供する。【解決手段】  収納式伸縮可能な傘袋を有する傘柄は、傘柄本体３０、スリーブ４０、傘袋５０及び締結部材セットを備えるとともに、傘柄本体３０の傘柄上端には傘フレーム３２が接続され、傘袋５０底部の閉鎖端は、傘柄３１底側に螺着される。傘柄本体３０の傘柄３１の中段部に近接した箇所には、適切な長さを有する位置規制セクションの嵌合部が設けられ、嵌合部の上端頂縁には、第１の位置決め部３１２が形成され、下端の底縁には第２の位置決め部３１３が形成され、底部には螺接部３１４が形成されている。スリーブ４０は、中空ハウジング４２を有し、上端開口内側縁には、係合部４３が設けられ、下端底部には、可動蓋板４６が枢着されている。【選択図】図３
0003198023.tif 000002
【実用新案登録請求の範囲】
【請求項１】
傘柄本体、スリーブ、傘袋及び締結部材セットを備えるとともに、前記傘柄本体の傘柄上端には傘フレームが接続され、前記傘袋底部の閉鎖端が傘柄底側に螺着される、収納式伸縮可能な傘袋を有する傘柄であって、
前記傘柄本体の前記傘柄の中段部に近接した箇所には、適切な長さを有する位置規制セクションの嵌合部が設けられ、前記嵌合部の上端頂縁には、第１の位置決め部が形成され、下端の底縁には第２の位置決め部が形成され、底部には螺接部が形成され、
前記スリーブは、中空ハウジングを有し、上端開口内側縁には、係合部が設けられ、下端底部には、可動蓋板が枢着され、
前記傘袋は、一端に閉鎖端の底部が設けられ、一端に口部を有する活動開口が設けられ、
前記締結部材セットは、螺接部材及び螺着ワッシャを含み、
前記スリーブの前記中空ハウジングには、前記傘柄上の上端開口の内側縁の係合部が挿通され、前記傘柄の前記嵌合部の前記第１の位置決め部と前記第２の位置決めとの間の位置決めセクションに摺動可能に係合され、前記スリーブを下方へ引っ張って前記係合部を変位させて前記第２の位置決め部に係合し、前記傘柄が前記スリーブから適切な長さで露出され、前記傘柄の底側と前記スリーブの底部との間に、前記傘袋を収納する収納空間が形成され、前記係合部により前記位置決めセクションの上端頂縁に至るまで前記スリーブが上方へ押動されると、前記係合部が前記第２の位置決め部の係合から外れ、前記第１の位置決め部を嵌合し、前記傘柄を縮めて前記スリーブ内で収納空間を圧縮してから、位置決めピンの可動蓋板に係合されたリングの係合を解除し、前記スリーブの前記可動蓋板を開いて前記傘袋を取り出し、前記スリーブの前記係合部を、前記傘柄の上端頂縁の前記第１の位置決め部と前記第２の位置決め部との間の位置規制セクション内で変位させて位置決めし、前記スリーブと前記傘柄の前記嵌合部の位置決め箇所が変わり、前記スリーブが下方へ押動されて形成された収納空間に前記傘袋が収納され、頂縁に至るまで上方へ押動して前記傘袋を取り出し、折り畳まれた傘具を反対方向で覆って結び、雨に濡れた前記傘具を収納する際に水滴が外部へ流れ出ることを防ぎ、収納が容易で、携行の見た目が良く、紛失し難く、雨滴が外側へ流れ出ることを防ぐことを特徴とする収納式伸縮可能な傘袋を有する傘柄。
【請求項２】
前記スリーブは、前記傘より略大きく、前記傘に似た形状を有することを特徴とする請求項１に記載の収納式伸縮可能な傘袋を有する傘柄。
【請求項３】
前記スリーブの底部に設けられる前記可動蓋板には、リングが設けられ、
前記スリーブの下端外側縁の適宜な箇所には、位置決めピンが係合設置されることを特徴とする請求項１に記載の収納式伸縮可能な傘袋を有する傘柄。
【請求項４】
前記傘袋は、防水性を有する傘布により縫製され、前記傘袋の閉鎖端において、螺接部材セットが傘柄固定部に螺着され、
前記傘袋の可動開口には、持ち運び用紐を有する口部が設けられていることを特徴とする請求項１に記載の収納式伸縮可能な傘袋を有する傘柄。
【請求項５】
前記傘柄の前記嵌合部の位置規制セクションは、長尺状浅槽であることを特徴とする請求項１に記載の収納式伸縮可能な傘袋を有する傘柄。
【請求項６】
前記傘袋は、閉鎖端から開口端に至る箇所に複数本の適宜な長さの伸縮テープを有し、
前記伸縮テープは、一端が閉鎖端の一端に固設されるとともに、開口端の前記口部に接続され、締め部品に挿通されることを特徴とする請求項１に記載の収納式伸縮可能な傘袋を有する傘柄。
【考案の詳細な説明】
【技術分野】
【０００１】
本考案は、収納式伸縮可能な傘袋を有する傘柄に関するものであり、さらに詳しくは、特に、傘柄本体にスリーブを結合して互いに位置決め摺動作動を行い、収納空間を拡大又は縮小することができ、携行する際の収納が容易で、占有空間が小さく、防水、盗難防止の効果を有する収納式伸縮可能な傘袋を有する傘柄に関するものである。
【背景技術】
【０００２】
図１に示すように、傘柄に傘カバーが結合された従来の雨傘は、傘カバー１、ハンドル２、ピン３及び結合ベース４を含む。結合ベース４は、中棒５の下端に接続され、下部に雌ねじを有する中空柱体４１が設けられ、ピン３上部の雄ねじ部３１の端部が螺着され、ピン３の中段部には、横向きの貫通孔３２が形成され、下段部にリング状凹溝３３が形成されている。傘カバー１は半開放状態であり、開口端がピン３の下部に嵌合され、凹溝３３上のＣリングにより挟持して両者を固定する。傘カバー１の閉鎖端の側面には、線ファスナー１１が設けられ、他方の開口部１２が形成され、傘カバー１の他方の側縁には、細縄１４を挿通する連通孔１３が形成され、細縄１４の上端がピン３の貫通孔の末端に挿通されて結ばれ、外れることを防ぐ。下端は自由端であり、傘カバー１の閉鎖端とともにハンドル２の中空内部に設置され、下方から延ばされ、傘カバー１の下端には細線１５によりハンドル２のベースに結合されている。ハンドル２が結合ベース４の下部のピンに嵌合され、ねじ部を介して結合され、ハンドル２に傘カバー１全体を収容するために使用し、傘カバー１により傘具を覆うため、携行が容易であるが、傘カバー１には依然として以下（１）〜（４）の問題点があった。
【０００３】
（１）傘カバー１は、閉鎖状態であり、側辺に開口部１２が形成され、開口部１２により線ファスナー１１を縫着して開口部が形成され、線ファスナー１１が開閉される際に引っ張られて噛んだり外れたりする虞がある。
（２）傘カバー１の長側辺には、連通孔１３が縫着され、連通孔１３に細縄１４が挿通されて結ばれ、傘カバー１を下方へ引っ張って傘カバー１を上方へ縮ませて収納することができるとともに、その下端底側に細線１５を挿通してベース２１を結んで外れることを防ぐことができるが、細線１５が容易に切断されてベース２１が落下する虞があるため、加工コストが増大して工程が煩雑となり、組立てが不便となる虞があった。
（３）傘カバー１は、Ｃリング３４により傘具の一端の結合ベース４のピン３の凹溝３３であり、Ｃリングは一般に鋭利な小さめの鋼片であり、傘カバー１が往復して引っ張られても引っ掛かって破ける虞はない。
（４）ハンドル２は、中空の固定状のものであり、伸縮する収納空間を設けないように設計され、ハンドル２自身の体積は大きくて瓢箪状に設計され、傘カバー１を収納して結合ベース４上に螺着され、体積が大きいため握持し難いという欠点があった。
【考案の概要】
【考案が解決しようとする課題】
【０００４】
従って、本考案の主な課題は、雨に濡れた前記傘具を収納する際に水滴が外側へ流出することを防ぎ、収納が容易で、携行の際の外観が良く、紛失し難い、収納式伸縮可能な傘袋を有する傘柄を提供することにある。
尚、本考案において「収納式傘袋」とは、隠匿可能な傘袋を包含することを意味する。
【図面の簡単な説明】
【０００５】
【図１】図１は、従来の傘柄の構造を示す分解斜視図である。
【図２】図２は、従来の傘カバーの使用状態の説明図である。
【図３】図３は、本考案の一実施形態に係る収納式伸縮可能な傘袋を有する傘柄を示す分解斜視図である。
【図４】図４は、本考案の一実施形態に係る収納式伸縮可能な傘袋を有する傘柄を示す斜視図である。
【図５】図５は、本考案の一実施形態に係る収納式伸縮可能な傘袋を有する傘柄を示す断面図である。
【図６】図６は、本考案の第１実施形態に係る収納式伸縮可能な傘袋を有する傘柄の使用状態を示す説明図である。
【図７】図７は、本考案の第２実施形態に係る収納式伸縮可能な傘袋を有する傘柄の使用状態を示す説明図である。
【図８】図８は、本考案の他の実施形態に係る収納式伸縮可能な傘袋を有する傘柄の使用状態を示す説明図である。
【考案を実施するための形態】
【０００６】
以下、本考案の傘柄の実施形態について図に基づいて説明する。なお、これらによって本考案が限定されるものではない。
【０００７】
図３を参照する。図３に示すように、本考案の一実施形態に係る収納式伸縮可能な傘袋を有する傘柄は、少なくとも傘柄本体３０、スリーブ４０、傘袋５０及び締結部材セットから構成されてなる。傘柄本体３０の傘柄３１の上端に傘フレーム３２が接続され、傘柄３１の柄胴体には、起動用スイッチボタン３１１が設けられている。左右両側の中段部に近接した箇所には、上から下方向にかけて適切な長さを有する長形浅槽の嵌合部の位置規制セクションＢが対称的に設けられ、嵌合部の上端頂縁には第１の位置決め部３１２が形成され、下端の底縁には第２の位置決め部３１３が形成され、底側には締結部材セットが組み合わされて固設する螺接部３１４が形成されている。締結部材セットは、螺接部材６０及び螺着ワッシャ６１を含む。
スリーブ４０の上端には、開放端を呈する開口４１が形成され、筒身の孔径は、傘柄３１より略大きく、形状が似た中空ハウジング４２が形成され、傘柄３１が嵌合されて収容され、上端縁内側の左右両側が傘柄３１両側の位置規制セクションＢに対応した長尺状浅槽の嵌合部に、これと対応した係合部４３が左右に設けられ、互いに嵌合されて係合される。下端縁の外側の底部開口４５に近接した適宜側部には、位置決めピン４４が設けられ、底部開口４５に可動蓋板４６が枢着され、可動蓋板４６の端縁の適宜な箇所にリング４６１が設けられ、傘袋５０は、防水性を有する傘布が裁縫されて形成され、一端に底部閉鎖端５１の底部が設けられ、一端に口部５２を有する活動開口が設けられ、口部５２の側部に持ち運び用紐５３が設けられている。
【０００８】
図４及び図５を参照する。図４及び図５に示すように、本考案の一実施形態に係る収納式伸縮可能な傘袋を有する傘柄は、傘袋５０の底部閉鎖端５１に螺着部材セットの螺接部材６０及び螺着ワッシャ６１を組み合わせ、傘柄３１の底側下方に螺着し、螺接部３１４を傘袋５０に固定し、スリーブ４０の開放端の開口４１を上方へ向けて傘袋５０に挿通して傘柄３１上に嵌合し、上端縁の内側の左右両側の係合部４３と傘柄３１の左右両側の長尺状浅槽の嵌合部が嵌合され、左右両側の係合部４３が上端頂縁の第１の位置決め部３１２と下端底縁の第２の位置決め部の位置規制セクションＢとの間に嵌合され、その係合部４３が可動自在に変位して係合され、位置規制セクションＢ内で摺動して嵌合位置決めされてから、スリーブ４０を下方へ引っ張って変位させ、係合部４３を同期で長尺状浅槽の位置規制セクションＢの下端底縁まで下向きに押動して第２の位置決め部３１３により係止すると、傘柄３１の上端がスリーブ４０の上端開口から適宜の長さで露出され、傘柄３１の下端がスリーブ４０の中空ハウジング４２内に適宜な長さで収容され、スリーブ４０の中空ハウジング４２と雄ねじ部３１の柄胴体の上下には、中空ハウジング４２下端に収納空間Ａが形成され、傘袋５０をスリーブ４０内の収納空間Ａに収納し、スリーブ４０底部に枢着された可動蓋板４６により底部開口４５を覆い、可動蓋板４６の端縁に設けられたリング４６１をスリーブ４０底部の外側縁と対応した位置決めピン４４上に係合させるだけで、容易に組立てることができる。
【０００９】
図６及び図７を参照する。図６及び図７に示すように、実際に傘袋５０から取り出して使用する際、スリーブ４０を上方へ押動し、係合部４３が力を受けると上方へ変位して第２の位置決め部３１３の係合が外れるとともに、位置規制セクションＢの上端頂縁まで上方へ向けて摺動し、これと嵌合位置決めされて係合されると、傘柄３１の上端が露出され、スリーブ４０の中空ハウジング４２の下端へ向けて挿通され、引き込まれる。これにより傘柄３１がスリーブ４０の中空ハウジング４２内に完全に収納されるとともに、収納空間Ａが同時に圧縮され、スリーブ４０底部の外側に掛止された位置決めピン４４上のリング４６１を撥ね上げると、可動蓋板４６が外れてその底部開口に枢着された可動蓋板４６が傘袋５０から露出され、傘袋５０を容易に引っ張り出して上方へ回し、可動蓋板４６が傘袋５０の上方への回転によりスリーブ４０の外側で傘具が傘袋５０内で覆われてから、口部５２が結ばれ、持ち運び用紐５３を露出させて傘袋５０に傘具を包んで収納したり容易に携行したりすることができる。
【００１０】
傘袋５０を収容する際、傘袋５０の口部５２の開口を開いて下方へ回転させ、スリーブ４０を下方へ押動して第１の位置決め部３１２の係合から係合部４３を外し、位置決めセクションの他端の第２の位置決め部３１３まで変位して嵌合位置決め係合すると、傘柄３１が上方へ向かってスリーブ外の適宜な長さで伸ばされ、スリーブ４０の中空ハウジング４２と傘柄３１の柄胴体の上下とに引っ張り交差され、中空ハウジング４２の下端が引っ張られて収納空間Ａが形成され、傘袋５０の収納空間Ａ内に収納され、スリーブ４０底部に枢着された可動蓋板４６により底部開口４５がカバーされ、そのリング４６１がスリーブ４０の底部外側縁と、それと対応した位置決めピン４４上と係合され、容易に傘袋の収納を行うことができる。
【００１１】
上述したように傘柄３１を収納して可動蓋板４６と結合し、スリーブ４０に傘柄３１を収納して可動スリーブ４０と結合し、スリーブ４０の係合部４３を傘柄３１の長尺状浅槽の嵌合部の位置決め部３１２，３１３間の位置規制セクションＢ上に係合し、嵌合係合位置決めし、２段式で伸縮係合する可動スリーブ４０を位置決め端に至るまで下方へ引っ張ると、係合部４３がこれに伴って下方へ押圧され、第２の位置決め部３１３に至るまで押圧されて係合し、傘柄３１の適宜な長さがスリーブ４０の外部へ露出され、スリーブ４０の中空ハウジング４２と傘柄３１の柄胴体上下が引っ張られて交差され、収納空間Ａに収納される傘袋５０が形成される。スリーブ４０が上方へ押動されて係合部４３に当接され、これに伴って上端頂縁の第１の位置決め部３１２と係合され、傘柄３１がスリーブ４０内に引き込まれて可動蓋板４６をオンし、傘袋５０を引っ張り出し、傘具を反対方向で覆うことにより、見た目が良く、収納が容易な傘袋５０を形成することができる。
【００１２】
図８に示すように、上述の傘袋５０上には、底部閉鎖端５１から開口端に至るまで複数本の適宜な長さを有する伸縮テープ５４が設けられ、伸縮テープ５４の一端には、閉鎖端５１が固設され、一端が連結固設された開口端の口部５２には、締め部品５５が挿通され、傘袋５０が展開されて上方へ延ばされて傘具の頂端を覆い、伸縮テープ５４が弾力により延伸されると、これに伴って頂端に至るまで延び、締め部品５５により口部５２の開口及び伸縮テープ５４を結んで傘袋５０に収納されると、口部５２に位置する締め部品５５が引っ張られて開かれ、傘袋５０が伸縮テープ５４の弾力を受けて反発すると収縮し、弾性回復力により自動的に復位してスリーブ４０内の傘柄３１底側で自動的に収納される。
【００１３】
上述したように、スリーブ４０の係合部４３が傘柄３１の長尺状浅槽の嵌合部の上端頂縁の第１の位置決め部３１２と第２の位置決め部３１３との間の位置規制セクションＢ内で変位してスリーブ４０と傘柄３１の長尺状浅槽の嵌合部の嵌合位置決め箇所が変わり、スリーブ４０を下方へ押動して収納空間Ａの傘袋５０を形成し、頂縁に至るまで上方へ押動して傘袋５０を取り出して覆って摺動する傘具を結び、傘具が雨水を受けて収納する際に水滴が外に流れ出て、収納及び携帯が容易で、紛失し難く、雨水が外部へ流れ出ることを効果的に防ぐ傘袋５０を形成することができる。
【００１４】
当該分野の当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
（従来技術）
１  傘カバー
２  ハンドル
３  ピン
４  結合ベース
５  中棒
１１  線ファスナー
１２  開口部
１３  連通孔  
１４  細縄
１５  細線
１６  紐掛け
２１  ベース
３１  雄ねじ部
３２  貫通孔
３３  凹溝
３４  Ｃリング
４１  中空柱体
（本考案）
３０  傘柄本体
３１  傘柄
３２  傘フレーム
４０  スリーブ
４１  開口
４２  中空ハウジング
４３  係合部
４４  位置決めピン
４５  底部開口
４６  可動蓋板
５０  傘袋
５１  底部閉鎖端
５２  口部
５３  持ち運び用紐
５４  伸縮テープ
５５  締め部品
６０  螺接部材
６１  螺着ワッシャ
３１１  スイッチボタン
３１２  第１の位置決め部
３１３  第２の位置決め部
３１４  螺接部
４６１  リング
Ａ  収納空間
Ｂ  位置規制セクション
【図１】
0003198023.tif 000003
【図２】
0003198023.tif 000004
【図３】
0003198023.tif 000005
【図４】
0003198023.tif 000006
【図５】
0003198023.tif 000007
【図６】
0003198023.tif 000008
【図７】
0003198023.tif 000009
【図８】
0003198023.tif 000010